(57)【要約】      （修正有）【課題】ペットの健康状態を簡易に把握できるペット管理システム、ペット管理方法、ペット管理装置およびペット管理プログラムを提供する。【解決手段】ペットの飲水量を取得して該飲水量を示す飲水量情報を生成する飲水量取得部２１を有する給水トレー２と、前記ペットの排尿量を取得して該排尿量を示す排尿量情報を生成する排尿量取得部１１を有するペット用トイレ１と、前記飲水量情報および前記排尿量情報に基づいてペットの健康状態を判断し、該ペットの健康状態を示す健康状態情報を生成する健康状態判断部４１と、前記健康状態情報を受信し、前記ペットの健康状態を表示する表示制御部５２と、を備えるペット管理システムが提供される。【選択図】図１
2019195325.tif 000002
【特許請求の範囲】
【請求項１】
ペットの飲水量を取得して該飲水量を示す飲水量情報を生成する飲水量取得部を有する
給水トレーと、
前記ペットの排尿量を取得して該排尿量を示す排尿量情報を生成する排尿量取得部を有
するペット用トイレと、
前記飲水量情報および前記排尿量情報に基づいてペットの健康状態を判断し、該ペット
の健康状態を示す健康状態情報を生成する健康状態判断部と、
前記健康状態情報を受信し、前記ペットの健康状態を表示する表示制御部と、を備える
ペット管理システム。
【請求項２】
前記ペット用トイレは、前記ペットの体重を測定して該体重を示す体重情報を生成する
体重測定部を有し、
前記健康状態判断部は、前記体重情報も考慮して前記健康状態情報を診断する、請求項
１に記載のペット管理システム。
【請求項３】
前記健康状態判断部は、前記体重情報が示すペットの体重に応じた飲水量の基準値およ
び排尿量の基準値を取得し、前記飲水量情報が示す飲水量と、前記飲水量の基準値との比
較、および、前記排尿量情報が示す排尿量と、前記排尿量の基準値との比較によって、前
記ペットの健康状態を判断する、請求項２に記載のペット管理システム。
【請求項４】
前記ペットの飲水量、前記ペットの排尿量および前記ペットの健康状態の少なくとも１
つに基づき、前記ペットに与える水を示す水情報を生成する水決定部を備え、
前記給水トレーは、前記水情報に基づく水を作成する水作成部を有する、請求項１乃至
３のいずれかに記載のペット管理システム。
【請求項５】
前記ペットの飲水量、前記ペットの排尿量および前記ペットの健康状態の少なくとも１
つに基づき、前記ペットに与える餌を示す餌情報を生成する餌決定部を備え、
当該ペット管理システムは、前記餌情報に基づく餌を作成する餌作成部を有する給仕ト
レーを備える、請求項１乃至４のいずれかに記載のペット管理システム。
【請求項６】
ペットの尿成分を取得して該尿成分を示す尿成分情報を生成する尿成分取得部を有する
ペット用トイレと、
前記尿成分情報に基づいてペットの健康状態を判断し、該ペットの健康状態を示す健康
状態情報を生成する健康状態判断部と、
前記健康状態情報を受信し、前記ペットの健康状態を表示する表示制御部と、を備える
ペット管理システム。
【請求項７】
前記尿成分は、尿比重および／またはタンパク質含有量を含む、請求項６に記載のペッ
ト管理システム。
【請求項８】
ペットがトイレに滞在する時間を取得して該滞在時間を示す滞在時間情報を生成する滞
在時間取得部を有するペット用トイレと、
前記滞在時間情報に基づいてペットの健康状態を判断し、該ペットの健康状態を示す健
康状態情報を生成する健康状態判断部と、
前記健康状態情報を受信し、前記ペットの健康状態を表示する表示制御部と、を備える
ペット管理システム。
【請求項９】
ペットの体重を測定して該体重を示す体重情報を生成する体重測定部を有するペット用
トイレと、
前記体重情報の経時変化に基づいてペットの健康状態を判断し、該ペットの健康状態を
示す健康状態情報を生成する健康状態判断部と、
前記健康状態情報を受信し、前記ペットの健康状態を表示する表示制御部と、を備える
ペット管理システム。
【請求項１０】
給水トレーの飲水量取得部が、ペットの飲水量を取得して該飲水量を示す飲水量情報を
生成し、
ペット用トイレの排尿量取得部が、前記ペットの排尿量を取得して該排尿量を示す排尿
量情報を生成し、
健康状態判断部が、前記飲水量情報および前記排尿量情報に基づいてペットの健康状態
を判断し、該ペットの健康状態を示す健康状態情報を生成し、
表示制御部が、前記健康状態情報を受信し、前記ペットの健康状態を表示する、ペット
管理方法。
【請求項１１】
ペットの飲水量を取得して該飲水量を示す飲水量情報を生成する飲水量取得部を有する
給水トレーから受信される前記飲水量情報と、前記ペットの排尿量を取得して該排尿量を
示す排尿量情報を生成する排尿量取得部を有するペット用トイレから受信される前記排尿
量情報と、に基づいてペットの健康状態を判断し、該ペットの健康状態を示す健康状態情
報を生成し、前記健康状態情報を表示制御部に送信する健康状態判断部を備えるペット管
理装置。
【請求項１２】
コンピュータを、ペットの飲水量を取得して該飲水量を示す飲水量情報を生成する飲水
量取得部を有する給水トレーから受信される前記飲水量情報と、前記ペットの排尿量を取
得して該排尿量を示す排尿量情報を生成する排尿量取得部を有するペット用トイレから受
信される前記排尿量情報と、に基づいてペットの健康状態を判断し、該ペットの健康状態
を示す健康状態情報を生成し、前記健康状態情報を表示制御部に送信する健康状態判断部
として機能させるペット管理プログラム。
【請求項１３】
ペット用トイレの滞在時間取得部が、ペットがトイレに滞在する時間を取得して該滞在
時間を示す滞在時間情報を生成し、
健康状態判断部が、前記滞在時間情報に基づいてペットの健康状態を判断し、該ペット
の健康状態を示す健康状態情報を生成し、
表示制御部が、前記健康状態情報を受信し、前記ペットの健康状態を表示する、ペット
管理方法。
【請求項１４】
ペットがトイレに滞在する時間を取得して該滞在時間を示す滞在時間情報を生成する滞
在時間取得部を有するペット用トイレから受信される前記滞在時間情報に基づいてペット
の健康状態を判断し、該ペットの健康状態を示す健康状態情報を生成し、前記健康状態情
報を表示制御部に送信する健康状態判断部を備えるペット管理装置。
【請求項１５】
コンピュータを、ペットがトイレに滞在する時間を取得して該滞在時間を示す滞在時間
情報を生成する滞在時間取得部を有するペット用トイレから受信される前記滞在時間情報
に基づいてペットの健康状態を判断し、該ペットの健康状態を示す健康状態情報を生成し
、前記健康状態情報を表示制御部に送信する健康状態判断部として機能させるペット管理
プログラム。
【請求項１６】
ペット用トイレの体重測定部が、ペットの体重を測定して該体重を示す体重情報を生成
し、
健康状態判断部が、前記体重情報の経時変化に基づいてペットの健康状態を判断し、該
ペットの健康状態を示す健康状態情報を生成し、
表示制御部が、前記健康状態情報を受信し、前記ペットの健康状態を表示する、ペット
管理方法。
【請求項１７】
ペットの体重を測定して該体重を示す体重情報を生成する体重測定部を有するペット用
トイレから受信される前記体重情報の経時変化に基づいてペットの健康状態を判断し、該
ペットの健康状態を示す健康状態情報を生成し、前記健康状態情報を表示制御部に送信す
る健康状態判断部を備えるペット管理装置。
【請求項１８】
コンピュータを、ペットの体重を測定して該体重を示す体重情報を生成する体重測定部
を有するペット用トイレから受信される前記体重情報の経時変化に基づいてペットの健康
状態を判断し、該ペットの健康状態を示す健康状態情報を生成し、前記健康状態情報を表
示制御部に送信する健康状態判断部として機能させるペット管理プログラム。
【発明の詳細な説明】
【技術分野】
【０００１】
本発明は、ネコなどのペットを管理するペット管理システム、ペット管理方法、ペット
管理装置およびペット管理プログラムに関する。
【背景技術】
【０００２】
ペットの代表としてネコが広く飼われている。できるだけペットには長生きしてほしい
と飼い主は考えるが、ネコは我慢強いため健康状態が悪化していても病気を発見するのは
容易ではない。
【０００３】
特許文献１では、動物の健康状態を診断するために、ウエアラブル・デバイスを動物に
装着して監視することが開示されている。しかしながら、そのようなウエアラブル・デバ
イスを用いた手法では、正確に監視を行える状態での装着が難しかったり、高齢な飼い主
には使いづらかったりする。また、装着することが動物にとっての負担にもなりかねない
。
以上のことは、ネコに限らずペット全般に当てはまる。
【先行技術文献】
【特許文献】
【０００４】
【特許文献１】特開２０１６−５１４９６１号公報
【発明の概要】
【発明が解決しようとする課題】
【０００５】
本発明はこのような問題点に鑑みてなされたものであり、本発明の課題は、ペットの健
康状態を簡易に把握できるペット管理システム、ペット管理方法、ペット管理装置および
ペット管理プログラムを提供することである。
【課題を解決するための手段】
【０００６】
本発明の一態様によれば、ペットの飲水量を取得して該飲水量を示す飲水量情報を生成
する飲水量取得部を有する給水トレーと、前記ペットの排尿量を取得して該排尿量を示す
排尿量情報を生成する排尿量取得部を有するペット用トイレと、前記飲水量情報および前
記排尿量情報に基づいてペットの健康状態を判断し、該ペットの健康状態を示す健康状態
情報を生成する健康状態判断部と、前記健康状態情報を受信し、前記ペットの健康状態を
表示する表示制御部と、を備えるペット管理システムが提供される。
【０００７】
前記ペット用トイレは、前記ペットの体重を測定して該体重を示す体重情報を生成する
体重測定部を有し、前記健康状態判断部は、前記体重情報も考慮して前記健康状態情報を
診断するのが望ましい。
【０００８】
前記健康状態判断部は、前記体重情報が示すペットの体重に応じた飲水量の基準値およ
び排尿量の基準値を取得し、前記飲水量情報が示す飲水量と、前記飲水量の基準値との比
較、および、前記排尿量情報が示す排尿量と、前記排尿量の基準値との比較によって、前
記ペットの健康状態を判断するのが望ましい。
【０００９】
前記ペットの飲水量、前記ペットの排尿量および前記ペットの健康状態の少なくとも１
つに基づき、前記ペットに与える水を示す水情報を生成する水決定部を備え、前記給水ト
レーは、前記水情報に基づく水を作成する水作成部を有するのが望ましい。
【００１０】
前記ペットの飲水量、前記ペットの排尿量および前記ペットの健康状態の少なくとも１
つに基づき、前記ペットに与える餌を示す餌情報を生成する餌決定部を備え、当該ペット
管理システムは、前記餌情報に基づく餌を作成する餌作成部を有する給仕トレーを備える
のが望ましい。
【００１１】
本発明の別の態様によれば、ペットの尿成分を取得して該尿成分を示す尿成分情報を生
成する尿成分取得部を有するペット用トイレと、前記尿成分情報に基づいてペットの健康
状態を判断し、該ペットの健康状態を示す健康状態情報を生成する健康状態判断部と、前
記健康状態情報を受信し、前記ペットの健康状態を表示する表示制御部と、を備えるペッ
ト管理システムが提供される。
【００１２】
前記尿成分は、尿比重および／またはタンパク質含有量を含むのが望ましい。
【００１３】
本発明の別の態様によれば、ペットがトイレに滞在する時間を取得して該滞在時間を示
す滞在時間情報を生成する滞在時間取得部を有するペット用トイレと、前記滞在時間情報
に基づいてペットの健康状態を判断し、該ペットの健康状態を示す健康状態情報を生成す
る健康状態判断部と、前記健康状態情報を受信し、前記ペットの健康状態を表示する表示
制御部と、を備えるペット管理システムが提供される。
【００１４】
本発明の別の態様によれば、ペットの体重を測定して該体重を示す体重情報を生成する
体重測定部を有するペット用トイレと、前記体重情報の経時変化に基づいてペットの健康
状態を判断し、該ペットの健康状態を示す健康状態情報を生成する健康状態判断部と、前
記健康状態情報を受信し、前記ペットの健康状態を表示する表示制御部と、を備えるペッ
ト管理システムが提供される。
【００１５】
本発明の別の態様によれば、水トレーの飲水量取得部が、ペットの飲水量を取得して該
飲水量を示す飲水量情報を生成し、ペット用トイレの排尿量取得部が、前記ペットの排尿
量を取得して該排尿量を示す排尿量情報を生成し、健康状態判断部が、前記飲水量情報お
よび前記排尿量情報に基づいてペットの健康状態を判断し、該ペットの健康状態を示す健
康状態情報を生成し、表示制御部が、前記健康状態情報を受信し、前記ペットの健康状態
を表示する、ペット管理方法が提供される。
【００１６】
本発明の別の態様によれば、ペットの飲水量を取得して該飲水量を示す飲水量情報を生
成する飲水量取得部を有する給水トレーから受信される前記飲水量情報と、前記ペットの
排尿量を取得して該排尿量を示す排尿量情報を生成する排尿量取得部を有するペット用ト
イレから受信される前記排尿量情報と、に基づいてペットの健康状態を判断し、該ペット
の健康状態を示す健康状態情報を生成し、前記健康状態情報を表示制御部に送信する健康
状態判断部を備えるペット管理装置が提供される。
【００１７】
本発明の別の態様によれば、コンピュータを、ペットの飲水量を取得して該飲水量を示
す飲水量情報を生成する飲水量取得部を有する給水トレーから受信される前記飲水量情報
と、前記ペットの排尿量を取得して該排尿量を示す排尿量情報を生成する排尿量取得部を
有するペット用トイレから受信される前記排尿量情報と、に基づいてペットの健康状態を
判断し、該ペットの健康状態を示す健康状態情報を生成し、前記健康状態情報を表示制御
部に送信する健康状態判断部として機能させるペット管理プログラムが提供される。
【００１８】
本発明の別の態様によれば、ペット用トイレの滞在時間取得部が、ペットがトイレに滞
在する時間を取得して該滞在時間を示す滞在時間情報を生成し、健康状態判断部が、前記
滞在時間情報に基づいてペットの健康状態を判断し、該ペットの健康状態を示す健康状態
情報を生成し、表示制御部が、前記健康状態情報を受信し、前記ペットの健康状態を表示
する、ペット管理方法が提供される。
【００１９】
本発明の別の態様によれば、ペットがトイレに滞在する時間を取得して該滞在時間を示
す滞在時間情報を生成する滞在時間取得部を有するペット用トイレから受信される前記滞
在時間情報に基づいてペットの健康状態を判断し、該ペットの健康状態を示す健康状態情
報を生成し、前記健康状態情報を表示制御部に送信する健康状態判断部を備えるペット管
理装置が提供される。
【００２０】
本発明の別の態様によれば、コンピュータを、ペットがトイレに滞在する時間を取得し
て該滞在時間を示す滞在時間情報を生成する滞在時間取得部を有するペット用トイレから
受信される前記滞在時間情報に基づいてペットの健康状態を判断し、該ペットの健康状態
を示す健康状態情報を生成し、前記健康状態情報を表示制御部に送信する健康状態判断部
として機能させるペット管理プログラムが提供される。
【００２１】
本発明の別の態様によれば、ペット用トイレの体重測定部が、ペットの体重を測定して
該体重を示す体重情報を生成し、健康状態判断部が、前記体重情報の経時変化に基づいて
ペットの健康状態を判断し、該ペットの健康状態を示す健康状態情報を生成し、表示制御
部が、前記健康状態情報を受信し、前記ペットの健康状態を表示する、ペット管理方法が
提供される。
【００２２】
本発明の別の態様によれば、ペットの体重を測定して該体重を示す体重情報を生成する
体重測定部を有するペット用トイレから受信される前記体重情報の経時変化に基づいてペ
ットの健康状態を判断し、該ペットの健康状態を示す健康状態情報を生成し、前記健康状
態情報を表示制御部に送信する健康状態判断部を備えるペット管理装置が提供される。
【００２３】
本発明の別の態様によれば、コンピュータを、ペットの体重を測定して該体重を示す体
重情報を生成する体重測定部を有するペット用トイレから受信される前記体重情報の経時
変化に基づいてペットの健康状態を判断し、該ペットの健康状態を示す健康状態情報を生
成し、前記健康状態情報を表示制御部に送信する健康状態判断部として機能させるペット
管理プログラムが提供される。
【発明の効果】
【００２４】
簡易にペットの健康状態を把握できる。
【図面の簡単な説明】
【００２５】
【図１】一実施形態に係るペット管理システムの概略構成を示すブロック図。
【図２】ペット管理システムの処理動作の一例を示すフローチャート。
【図３】ペット管理システムの処理動作の別の例を示すフローチャート。
【図４】ペット管理システムの処理動作のまた別の例を示すフローチャート。
【図５】ペット管理システムの処理動作のさらに別の例を示すフローチャート。
【発明を実施するための形態】
【００２６】
以下、本発明に係る実施形態について、図面を参照しながら具体的に説明する。なお、
本発明は、室内で与えられた餌や水のみを摂取し、決まった場所で排泄をするネコに特に
好適であるが、他のペットにも適用可能である。
【００２７】
図１は、一実施形態に係るペット管理システムの概略構成を示すブロック図である。ペ
ット管理システムは、トイレ１と、給水トレー２と、給餌トレー３と、サーバ４と、端末
装置５とを備えている。そして、トイレ１とサーバ４、給水トレー２とサーバ４、給餌ト
レー３とサーバ４はネットワークで接続され、通信可能となっている。通信手段に特に制
限はなく、有線あるいは無線ネットワークでもよいし、Ｂｌｕｔｏｏｔｈ（登録商標）な
どの近距離通信を適用してもよい。また、サーバ４と端末装置５も当然、ネットワークで
接続され、通信可能となっている。あるいは、端末装置５からトイレ１、給水トレー２、
給餌トレー３と直接通信可能であってもよい。
【００２８】
トイレ１は、通常のトイレとしての機能に加え、排尿量取得部１１と、体重測定部１２
と、尿成分取得部１３と、滞在時間取得部１４とを有する。
【００２９】
排尿量取得部１１はペットの排尿量を測定し、その排尿量を示す排尿量情報を生成する
。そして、排尿量取得部１１は排尿量情報をサーバ４に送信する。
【００３０】
体重測定部１２は、ペットが排泄する際にペットの体重を測定し、その体重を示す体重
情報を生成する。そして、体重測定部１２は体重情報をサーバ４に送信する。
【００３１】
尿成分取得部１３はペットの尿成分を計測し、その尿成分を示す尿成分情報を生成する
。そして、尿成分取得部１３は尿成分情報をサーバ４に送信する。本実施形態では、尿成
分の例として、尿比重およびタンパク質含有量を計測するものとする。
【００３２】
尿比重とは、尿における水分と、水分以外の物質（尿素や塩化ナトリウムなど）との割
合であり、腎機能を調べる指標の１つである。腎機能に異常があると尿比重が低下するた
め、尿比重を計測することで慢性腎臓病の兆候を早期に発見できる。なお、尿比重を計測
するデバイスは公知のものを適用すればよい。
【００３３】
また、腎機能が低下すると血液中のタンパク質が尿として排泄されてしまい、タンパク
尿が見られることがある。そのため、タンパク質含有量を計測することで腎機能低下を早
期に発見できる。また、膀胱炎の兆候も早期に発見できる。なお、タンパク質含有量を計
測するデバイスは公知のものを適用すればよい。
【００３４】
滞在時間取得部１４はペットがトイレ１に滞在している時間を計測し、その滞在時間を
示す滞在時間情報を生成する。そして、滞在時間取得部１４は滞在時間情報をサーバ４に
送信する。
【００３５】
なお、上述した各種情報はリアルタイムにトイレ１からサーバ４に送信されるのが望ま
しい。
【００３６】
給水トレー２は、水をペットに提供する機能に加え、飲水量取得部２１と、水作成部２
２とを有する。
【００３７】
飲水量取得部２１はペットの飲水量を計測し、その飲水量を示す飲水量情報を生成する
。そして、飲水量取得部２１は飲水量情報をサーバ４に送信する。飲水量情報はリアルタ
イムに給水トレー２からサーバ４に送信されるのが望ましい。
【００３８】
水作成部２２は、後述する水情報に基づいて水に風味付けしたり、香り付けしたりして
、ペットに提供される水を作成する。
【００３９】
給餌トレー３は、餌をペットに提供する機能に加え、餌作成部３１を有する。餌作成部
３１は後述する餌情報に基づいてペットに提供される餌を作成する。
【００４０】
サーバ４は、健康状態判断部４１と、水決定部４２と、餌決定部４３とを有する。これ
ら各部の少なくとも一部は、例えばサーバ４が有するプロセッサが所定のプログラムを実
行することによって実現されてもよいし、ハードウェアで実装されてもよい。なお、サー
バ４をペット管理装置と考えることもできる。
【００４１】
健康状態判断部４１は、トイレ１および給水トレー２からの各種情報のうちの少なくと
も一部を用いて、ペットの健康状態を判断する。一例として、健康状態判断部４１は、排
尿量情報および飲水量情報に基づき、水分の摂取と排出のバランスからペットの健康状態
を判断する。そして、健康状態判断部４１はペットの健康状態を示す健康状態情報を生成
し、端末装置５に送信する。
【００４２】
水決定部４２は、ペットに与える水、言い換えると、水作成部２２がどのような水を作
成すべきかを示す水情報を生成する。より具体的には、水決定部４２は、ペットの健康状
態や、トイレ１および給水トレー２からの各種情報に応じて、ペットに提供する水を決定
する。一例として、ペットの飲水量が少なすぎる場合、にぼし風味の水とすることで、飲
水を促すようにする。
【００４３】
餌決定部４３は、ペットに与える餌、言い換えると、餌作成部３１がどのような餌を作
成すべきかを示す餌情報を生成する。より具体的には、餌決定部４３は、ペットの健康状
態や、トイレ１および給水トレー２からの各種情報に応じて、ペットに提供する餌を決定
する。一例として、ペットの飲水量が少なすぎる場合、ウエットフードとすることで、水
分摂取量が高くなるようにする。
【００４４】
端末装置５はペットの飼い主が用いるものであり、典型的にはスマートフォンやタブレ
ットなどの携帯端末であるが、パーソナルコンピュータや専用コンピュータであってもよ
い。端末装置５は、ペット情報登録部５１と、表示制御部５２とを有する。これら各部の
少なくとも一部は、いわゆる「アプリ」であって、端末装置５が有するプロセッサが所定
のプログラムを実行することによって実現されてもよいし、ハードウェアで実装されても
よい。なお、端末装置５はタッチパネルなどの入力インターフェース、ディスプレイなど
の出力インターフェースを有するが、説明は省略する。
【００４５】
ペット情報登録部５１はユーザからの指示に基づいてペット情報を登録する。ペット情
報とは、例えばペットの品種（種別）、年齢、性別、嗜好、体重などを含み得るが、これ
らに限られない。ペット情報はサーバ４に送信される。
【００４６】
表示制御部５２はサーバ４からの健康状態情報に基づいて、ペットの健康状態をディス
プレイに表示させる。一例として、ペットの健康状態が異常である場合、表示制御部５２
は受診を勧めるアラートを表示させる。なお、表示制御部５２は端末装置のディスプレイ
に表示するのが一般的であるが、トイレ１、給水トレー２または給餌トレー３に設けられ
たディスプレイに表示してもよい。
【００４７】
図２は、ペット管理システムの処理動作の一例を示すフローチャートであり、ペットの
排尿量および飲水量に基づいて健康状態を判断するものである。
【００４８】
予め端末装置５のペット情報登録部５１はユーザからの指示に基づいてペット情報を登
録する（ステップＳ１）。
【００４９】
ペットがトイレ１で排泄する際に、排尿量取得部１１がペットの排尿量を測定して排尿
量情報をサーバ４に送信するとともに、体重測定部１２がペットの体重を測定し体重情報
をサーバ４に送信する。また、ペットが給水トレー２から飲水する際に、飲水量取得部２
１がペットの飲水量を計測して飲水量情報をサーバ４に送信する（ステップＳ２）。
【００５０】
そして、健康状態判断部４１は、飲水量情報が示すペットの飲水量および排尿量情報が
示すペットの排尿量に基づいて、ペットの健康状態を診断する（ステップＳ３）。
【００５１】
具体例として、ペットの排尿量および飲水量がともに多い場合（多飲多尿、ステップＳ
４ａ）、ペットの排尿量が少ないが飲水量が多い場合（多飲少尿、ステップＳ４ｂ）、排
尿量に関わらず飲水量が少ない場合（少飲、ステップＳ４ｃ）には、健康状態判断部４１
はペットの健康状態に異常があると判断する（ステップＳ５ａ）。一方、排尿量および飲
水量とも正常である場合（ステップＳ４ｄ）、健康状態判断部４１はペットの健康状態は
正常であると判断する（ステップＳ５ｂ）。
【００５２】
なお、飲水量が多いか少ないか正常であるかの判断は、所定の基準値との比較によって
行うことができる。例えば、ペットがネコである場合、健康状態判断部４１は、飲水量が
体重×５０ｍｌ以上である場合、あるいは、ペット個体の標準的な飲水量の１．２倍以上
である場合に多飲と判断してもよい。一方、飲水量が体重×２０ｍｌ以下である場合、あ
るいは、標準的な飲水量の０．８倍以下である場合に少飲と判断してもよい。
【００５３】
同様に、排尿量が多いか少ないか正常であるかの判断も、所定の基準値との比較によっ
て行うことができる。例えば、ペットがネコである場合、健康状態判断部４１は、排尿量
が体重×４０ｍｌ以上である場合、あるいは、ペット個体の標準的な排尿量の１．２倍以
上である場合に多尿と判断してもよい。一方、排尿量が体重×６．５ｍｌ以下である場合
、あるいは、標準的な排尿量の０．８倍以下である場合に少尿と判断してもよい。
【００５４】
異常と判断された場合（ステップＳ５ａ）、水決定部４２および餌決定部４３はそれぞ
れ適切な水情報および餌情報を生成し、給水トレー２および給餌トレー３に送信してもよ
い（ステップＳ６）。水情報に応じて給水トレー２の水作成部２２はペットに与える水を
作成し、餌情報に応じて給餌トレー３の餌作成部３１はペットに与える餌を作成する（ス
テップＳ７）。
【００５５】
例えば、少飲（ステップＳ４ｃ）である場合、水のアミノ酸濃度を高くしたり、にぼし
風味としたり、浄水にするといった加工を行った水を与えて飲水を促す。あるいは、ドラ
イフードに水分を含ませてウエットフード化した餌を与えて水分補給を促す。このように
することで脱水が予防される。
【００５６】
また、健康状態判断部４１は診断結果を示す健康状態情報を端末装置５に送信し、端末
装置５の表示制御部５２によって健康状態が表示される（ステップＳ８）。例えば、ペッ
トの健康状態が異常と診断された場合には、受診を促すアラートが表示される。
【００５７】
なお、より簡易に、少飲か否か（ステップＳ４ｃ）に基づいて診断を行うのであれば、
排尿量情報は不要である。あるいは、排尿量情報のみを用い、少尿である場合には、尿が
出ないという異常や、トイレに間に合わない下部尿道疾患の異常の可能性があると判断し
てもよい。
【００５８】
図３は、ペット管理システムの処理動作の別の例を示すフローチャートであり、ペット
の尿成分に基づいて健康状態を判断するものである。
【００５９】
ペットがトイレ１で排泄する際に、尿成分取得部１３がペットの尿成分を測定して尿成
分情報をサーバ４に送信する（ステップＳ１１）。
【００６０】
そして、健康状態判断部４１は尿成分情報が示すペットの尿成分に基づいて、ペットの
健康状態を診断する（ステップＳ１２）。具体的には、健康状態判断部４１は、尿におけ
る特定の成分が基準値を逸脱している場合にはペットの健康状態は異常であると判断し（
ステップＳ１３ａ）、基準値内である場合にはペットの健康状態は正常であると判断する
（ステップＳ１３ｂ）。
【００６１】
ペットがネコである場合の具体例として、尿比重が基準値である１．０３２以下である
場合や、タンパク質含有量が基準値である１５ｍｇ／ｄｌ以上である場合、異常であると
判断してもよい。
【００６２】
健康状態判断部４１は診断結果を示す健康状態情報を端末装置５に送信し、端末装置５
の表示制御部５２によって健康状態が表示される（ステップＳ１４）。
【００６３】
図４は、ペット管理システムの処理動作のまた別の例を示すフローチャートであり、ペ
ットの滞在時間に基づいて健康状態を判断するものである。
【００６４】
ペットがトイレ１で排泄する際に、滞在時間取得部１４がペットの滞在時間を測定して
滞在時間情報をサーバ４に送信する（ステップＳ２１）。
【００６５】
そして、健康状態判断部４１は、滞在時間情報が示すペットがトイレ１に滞在している
時間に基づいて、ペットの健康状態を診断する（ステップＳ２２）。具体例として、健康
状態判断部４１は、滞在時間が基準値（例えば、個体の標準値の１．２倍）より長い場合
にはペットの健康状態は異常であると判断し（ステップＳ２３ａ）、基準値より短い場合
にはペットの健康状態は正常であると判断する（ステップＳ２３ｂ）。滞在時間が長い場
合、常時尿意を感じているなどの異常の可能性があるためである。
【００６６】
健康状態判断部４１は診断結果を示す健康状態情報を端末装置５に送信し、端末装置５
の表示制御部５２によって健康状態が表示される（ステップＳ２４）。
【００６７】
図５は、ペット管理システムの処理動作のさらに別の例を示すフローチャートであり、
ペットの体重に基づいて健康状態を判断するものである。
【００６８】
ペットがトイレ１で排泄する際に、体重測定部１２がペットの体重を測定して体重情報
をサーバ４に送信する（ステップＳ３１）。
【００６９】
そして、健康状態判断部４１は体重情報が示すペットの体重（好ましくは、その経時変
化）に基づいて、ペットの健康状態を診断する（ステップＳ２２）。具体例として、健康
状態判断部４１は、ペットの現在の体重と過去の体重とを比較し、減少傾向にある場合に
はペットの健康状態は異常であると判断し（ステップＳ３３ａ）、増加傾向あるいは大き
な変化がない場合にはペットの健康状態は正常であると判断してもよい（ステップＳ３３
ｂ）。
【００７０】
さらに具体的な例として、ペットの現在の体重が前年の０．９倍以下である場合や、一
昨年の０．８倍以下である場合に、減少傾向にあるとしてもよい。
【００７１】
健康状態判断部４１は診断結果を示す健康状態情報を端末装置５に送信し、端末装置５
の表示制御部５２によって健康状態が表示される（ステップＳ３４）。
【００７２】
このように、本実施形態では、ウエアラブル・デバイスをペットに装着させるといった
ことが不要であり、トイレ１、給水トレー２および給餌トレー３でペットの情報を取得し
、簡易かつリアルタイムに健康状態を把握・管理できる。なお、図２〜図５で示した診断
を適宜組み合わせてもよい。また、図１に示すペット管理システムのうち、図２〜図５で
示した診断に不要な機能部は適宜省略してもよい。
【００７３】
本実施形態は特にネコにとって有用である。ネコは乾きに鈍感であり、自身が水分不足
であることに気づかないこともあるし、給水場所が近くにないと給水を行わないこともあ
る。また、ネコは尿排泄によって毒素を体外に排出するため、尿が数日間出ないと死に至
ることもある。
【００７４】
そのため、飲水量や排尿量を把握したり、尿成分を取得したりすることで、早期にネコ
の異常を発見するのがよい。
【００７５】
また、ネコの死因の１つは腎臓疾患であるが、腎臓疾患の発見は遅れる傾向にある。腎
臓疾患が進行すると、排尿量が少なくなったり、尿比重が異常値になったり、体重が減っ
たりするため、本実施形態によれば腎臓疾患を早期に発見でき、進行抑制につなげること
ができる。
【００７６】
さらに、本実施形態に係るサーバ４には様々な情報が蓄積される。例えば、端末装置５
のペット情報登録部５１からは、ペットの品種、年齢、性別、嗜好といったペット情報が
登録される。トイレ１の排尿量取得部１１からは排尿量、体重測定部１２からは体重の変
化、尿成分取得部１３からは尿成分、滞在時間取得部１４からはトイレ１での滞在時間に
関する情報が蓄積される。給水トレー２の飲水量取得部２１からは、ペットの飲水量に関
する情報が蓄積される。サーバ４自身は、水決定部４２および餌決定部４３により、ペッ
トの嗜好を把握できる。
【００７７】
これらサーバ４に蓄積された情報を一括して取得することで、ペットの品種や年齢に応
じた適切な餌や給餌タイミング、ペットの体重（およびその変化）に応じた適切な摂取カ
ロリー、病気の兆候の事前把握などを精度良く行うことも可能となる。
【００７８】
なお、図１に示したペット管理システムはあくまで構成例に過ぎない。例えば、サーバ
４および／または端末装置５内の一部の機能がトイレ１、給水トレー２または給餌トレー
３内にあってもよい。さらに、ペット情報の登録を、ユーザからの指示に基づく端末装置
５からの登録ではなく、他の装置を介して登録を行ってもよい。例えば、ネットワークカ
メラなどの画像認識端末がペットを撮影して品種などを認識して登録を行ってもよいし、
スマートスピーカなどの音声認識端末がペットの鳴き声を聞き取って品種などを認識して
登録を行ってもよい。この場合、認識結果を直接サーバ４に送信して登録を行ってもよい
し、端末装置５、トイレ１、給水トレー２あるいは給餌トレー３に設けられたディスプレ
イに認識結果を表示し、誤りがないことをユーザが確認して（誤っていればユーザが訂正
して）登録を行うようにしてもよい。
【００７９】
上述した実施形態は、本発明が属する技術分野における通常の知識を有する者が本発明
を実施できることを目的として記載されたものである。上記実施形態の種々の変形例は、
当業者であれば当然になしうることであり、本発明の技術的思想は他の実施形態にも適用
しうることである。したがって、本発明は、記載された実施形態に限定されることはなく
、特許請求の範囲によって定義される技術的思想に従った最も広い範囲とすべきである。
【符号の説明】
【００８０】
１  トイレ
１１  排尿量取得部
１２  体重測定部
１３  尿成分取得部
１４  滞在時間取得部
２  給水トレー
２１  飲水量取得部
２２  水作成部
３  給餌トレー
３１  餌作成部
４  サーバ
４１  健康状態判断部
４２  水決定部
４３  餌決定部
５  端末装置
５１  ペット情報登録部
５２  表示制御部
【図１】
2019195325.tif 000003
【図２】
2019195325.tif 000004
【図３】
2019195325.tif 000005
【図４】
2019195325.tif 000006
【図５】
2019195325.tif 000007
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
ペットの飲水量を取得して該飲水量を示す飲水量情報を生成する飲水量取得部を有する給水トレーと、
ペットがトイレに滞在する時間を取得して該滞在時間を示す滞在時間情報を生成する滞在時間取得部を有するペット用トイレと、
前記飲水量情報および前記滞在時間に基づいてペットの健康状態を判断し、該ペットの健康状態を示す健康状態情報を生成する健康状態判断部と、
前記健康状態情報を受信し、前記ペットの健康状態を表示する表示制御部と、を備えるペット管理システム。
【請求項２】
前記健康状態判断部は、前記飲水量情報および前記滞在時間に基づき、前記ペットの飲水量とトイレでの滞在時間とのバランスを考慮して、前記ペットの健康状態を判断する、請求項１に記載のペット管理システム。
【請求項３】
ペットがトイレに滞在する時間を取得して該滞在時間を示す滞在時間情報を生成する滞在時間取得部と、前記ペットの排尿量を取得して該排尿量を示す排尿量情報を生成する排尿量取得部と、を有するペット用トイレと、
前記排尿量情報および前記滞在時間に基づいてペットの健康状態を判断し、該ペットの健康状態を示す健康状態情報を生成する健康状態判断部と、
前記健康状態情報を受信し、前記ペットの健康状態を表示する表示制御部と、を備えるペット管理システム。
【請求項４】
ペットの尿成分を取得して該尿成分を示す尿成分情報を生成する尿成分取得部を有するペット用トイレと、
前記尿成分情報に基づいてペットの健康状態を判断し、該ペットの健康状態を示す健康状態情報を生成する健康状態判断部と、
前記健康状態情報を受信し、前記ペットの健康状態を表示する表示制御部と、を備えるペット管理システム。
【請求項５】
前記尿成分は、尿比重および／またはタンパク質含有量を含む、請求項４に記載のペット管理システム。
【請求項６】
ペットの飲水量を取得して該飲水量を示す飲水量情報を生成する飲水量取得部を有する給水トレーと、
前記ペットの体重を測定して該体重を示す体重情報を生成する体重測定部を有するペット用トイレと、
前記飲水量情報および前記体重情報の経時変化に基づいてペットの健康状態を判断し、該ペットの健康状態を示す健康状態情報を生成する健康状態判断部と、
前記健康状態情報を受信し、前記ペットの健康状態を表示する表示制御部と、を備えるペット管理システム。
【請求項７】
給水トレーの飲水量取得部が、ペットの飲水量を取得して該飲水量を示す飲水量情報を生成し、
ペット用トイレの滞在時間取得部が、ペットがトイレに滞在する時間を取得して該滞在時間を示す滞在時間情報を生成し、
健康状態判断部が、前記飲水量情報および前記滞在時間に基づいてペットの健康状態を判断し、該ペットの健康状態を示す健康状態情報を生成し、
表示制御部が、前記健康状態情報を受信し、前記ペットの健康状態を表示する、ペット管理方法。
【請求項８】
ペット用トイレの滞在時間取得部が、ペットがトイレに滞在する時間を取得して該滞在時間を示す滞在時間情報を生成し、
前記ペット用トイレの排尿量取得部が、前記ペットの排尿量を取得して該排尿量を示す排尿量情報を生成し、
健康状態判断部が、前記排尿量情報および前記滞在時間に基づいてペットの健康状態を判断し、該ペットの健康状態を示す健康状態情報を生成し、
表示制御部が、前記健康状態情報を受信し、前記ペットの健康状態を表示する、ペット管理方法。
【請求項９】
ペット用トイレの尿成分取得部が、ペットの尿成分を取得して該尿成分を示す尿成分情報を生成し、
健康状態判断部が、前記尿成分情報に基づいてペットの健康状態を判断し、該ペットの健康状態を示す健康状態情報を生成し、
表示制御部が、前記健康状態情報を受信し、前記ペットの健康状態を表示する、ペット管理方法。
【請求項１０】
給水トレーの飲水量取得部が、ペットの飲水量を取得して該飲水量を示す飲水量情報を生成し、
ペット用トイレの体重測定部が、前記ペットの体重を測定して該体重を示す体重情報を生成し、
健康状態判断部が、前記飲水量情報および前記体重情報の経時変化に基づいてペットの健康状態を判断し、該ペットの健康状態を示す健康状態情報を生成し、
表示制御部が、前記健康状態情報を受信し、前記ペットの健康状態を表示する、ペット管理方法。
【請求項１１】
ペットの飲水量を取得して該飲水量を示す飲水量情報を生成する飲水量取得部を有する給水トレーから受信される前記飲水量情報と、ペットがトイレに滞在する時間を取得して該滞在時間を示す滞在時間情報を生成する滞在時間取得部を有するペット用トイレから受信される前記滞在時間情報と、に基づいてペットの健康状態を判断し、該ペットの健康状態を示す健康状態情報を生成し、前記健康状態情報を表示制御部に送信する健康状態判断部を備えるペット管理装置。
【請求項１２】
ペットがトイレに滞在する時間を取得して該滞在時間を示す滞在時間情報を生成する滞在時間取得部と、前記ペットの排尿量を取得して該排尿量を示す排尿量情報を生成する排尿量取得部と、を有するペット用トイレから受信される前記排尿量情報および前記滞在時間に基づいてペットの健康状態を判断し、該ペットの健康状態を示す健康状態情報を生成し、前記健康状態情報を表示制御部に送信する健康状態判断部を備えるペット管理装置。
【請求項１３】
ペットの尿成分を取得して該尿成分を示す尿成分情報を生成する尿成分取得部を有するペット用トイレから受信される前記尿成分情報に基づいてペットの健康状態を判断し、該ペットの健康状態を示す健康状態情報を生成し、前記健康状態情報を表示制御部に送信する健康状態判断部を備えるペット管理装置。
【請求項１４】
ペットの飲水量を取得して該飲水量を示す飲水量情報を生成する飲水量取得部を有する給水トレーから受信される前記飲水量情報と、前記ペットの体重を測定して該体重を示す体重情報を生成する体重測定部を有するペット用トイレから受信される体重情報の経時変化と、に基づいてペットの健康状態を判断し、該ペットの健康状態を示す健康状態情報を表示制御部に送信する健康状態判断部を備えるペット管理装置。
【請求項１５】
コンピュータを、
ペットの飲水量を取得して該飲水量を示す飲水量情報を生成する飲水量取得部を有する給水トレーから受信される前記飲水量情報と、ペットがトイレに滞在する時間を取得して該滞在時間を示す滞在時間情報を生成する滞在時間取得部を有するペット用トイレから受信される前記滞在時間情報と、に基づいてペットの健康状態を判断し、該ペットの健康状態を示す健康状態情報を生成し、前記健康状態情報を表示制御部に送信する健康状態判断部として機能させるペット管理プログラム。
【請求項１６】
コンピュータを、
ペットがトイレに滞在する時間を取得して該滞在時間を示す滞在時間情報を生成する滞在時間取得部と、前記ペットの排尿量を取得して該排尿量を示す排尿量情報を生成する排尿量取得部と、を有するペット用トイレから受信される前記排尿量情報および前記滞在時間に基づいてペットの健康状態を判断し、該ペットの健康状態を示す健康状態情報を生成し、前記健康状態情報を表示制御部に送信する健康状態判断部として機能させるペット管理装置プログラム。
【請求項１７】
コンピュータを、
ペットの尿成分を取得して該尿成分を示す尿成分情報を生成する尿成分取得部を有するペット用トイレから受信される前記尿成分情報に基づいてペットの健康状態を判断し、該ペットの健康状態を示す健康状態情報を生成し、前記健康状態情報を表示制御部に送信する健康状態判断部として機能させるペット管理プログラム。
【請求項１８】
コンピュータを、
ペットの飲水量を取得して該飲水量を示す飲水量情報を生成する飲水量取得部を有する給水トレーから受信される前記飲水量情報と、前記ペットの体重を測定して該体重を示す体重情報を生成する体重測定部を有するペット用トイレから受信される体重情報の経時変化と、に基づいてペットの健康状態を判断し、該ペットの健康状態を示す健康状態情報を表示制御部に送信する健康状態判断部として機能させるペット管理プログラム。